(57)【要約】【課題】テレビジョン受信機及びリモコンに周囲センサを設けることにより、ユーザの周囲音量に合わせてテレビ受信機の音量の自動調節を行うことが可能な音量調整システム及び音量調整方法を提供する。【解決手段】リモコンとテレビジョン受信機からなる音量調節システムであって、リモコンは、リモコンの周囲音を検知する第２の周囲音センサと、検知されたリモコンの周囲音を周囲音情報として送信する送信部とを備え、テレビジョン受信機は、周囲音情報を受信する受信部と、テレビジョン受信機の周囲音を検知する第１の周囲音センサと、少なくとも受信された周囲音情報に含まれる周囲音の値及び検知された周囲音の値に応じて出力すべき音量を計算する第１の制御部と、テレビジョン受信機が出力する音量を、計算された出力すべき音量に調整する音量制御部と、を具備する。【選択図】図１
2011250243.tif 000002
【特許請求の範囲】
【請求項１】
リモコンとテレビジョン受信機からなる音量調節システムであって、
前記リモコンは、
前記リモコンの周囲音を検知する第２の周囲音センサと、
前記第２の周囲音センサが検知した前記リモコンの周囲音を周囲音情報として送信する送信部と、を備え、
前記テレビジョン受信機は、
前記周囲音情報を受信する受信部と、
前記テレビジョン受信機の周囲音を検知する第１の周囲音センサと、
少なくとも受信された前記周囲音情報に含まれる前記周囲音の値及び前記第１の周囲音センサが検知した前記周囲音の値に応じて、出力すべき音量を計算する第１の制御部と、
前記テレビジョン受信機が出力する音量を、計算された前記出力すべき音量に調整する音量制御部と、を具備することを特徴とする音量調整システム。
【請求項２】
前記リモコンは、
ユーザによってリモコン操作が行なわれた場合に、前記第２の周囲音センサに前記リモコンの周囲音を検知させる第２の制御部と、を更に備え、
前記テレビジョン受信機は、
直前の前記リモコンの周囲音の値及び直前の前記テレビジョン受信機の周囲音の値を記憶する記憶部と、を更に備え、
前記第１の制御部は、前記受信部が前記周囲音情報を受信した場合に、前記第１の周囲音センサに前記テレビジョン受信機の周囲音を検知させるとともに、前記記憶部に記憶された直前の前記リモコンの周囲音の値及び直前の前記テレビジョン受信機の周囲音の値と、受信された前記周囲音情報に含まれる前記周囲音の値と前記第１の周囲音センサが検知した前記周囲音の値に応じて、出力すべき音量を計算する、ことを特徴とする請求項１に記載の音量調整システム。
【請求項３】
リモコンとテレビジョン受信機からなる音量調節システムにおける音量調整方法であって、
前記リモコンは、
前記リモコンの周囲音を検知する第２の周囲音検知ステップと、
検知した前記リモコンの周囲音を周囲音情報として送信する送信ステップと、を有し、
前記テレビジョン受信機は、
前記周囲音情報を受信する受信ステップと、
前記テレビジョン受信機の周囲音を検知する第１の周囲音検知ステップと、
少なくとも受信した前記周囲音情報に含まれる前記リモコンの周囲音の値及び検知した前記テレビジョン受信機の周囲音の値に応じて、出力すべき音量を計算する第１の制御ステップと、
前記テレビジョン受信機が出力する音量を、計算された前記出力すべき音量に調整する音量制御ステップと、を有することを特徴とする音量調整方法。
【請求項４】
前記リモコンは、
ユーザによってリモコン操作が行われた場合に、前記第２の周囲音検知ステップに前記リモコンの周囲音を検知させる第２の制御ステップと、を更に有し、
前記テレビジョン受信機は、
直前の前記リモコンの周囲音の値及び直前の前記テレビジョン受信機の周囲音の値を記憶する記憶ステップと、を更に有し、
前記第１の制御ステップは、前記受信ステップが前記周囲音情報を受信した場合に、前記第１の周囲音検知ステップに前記テレビジョン受信機の周囲音を検知させるとともに、前記記憶ステップに記憶された直前の前記リモコンの周囲音の値及び直前の前記テレビジョン受信機の周囲音の値と、受信された前記周囲音情報に含まれる前記周囲音の値と前記第１の周囲音検知ステップが検知した前記周囲音の値に応じて、出力すべき音量を計算する、ことを特徴とする請求項３に記載の音量調整方法。
【発明の詳細な説明】
【技術分野】
【０００１】
本発明は、音量調整システムおよび音量調整方法に関し、更に詳しくは、ユーザの周囲の雑音に合わせて音量を自動調節することが可能な音量調整システム及び音量調整方法に関する。
【背景技術】
【０００２】
近年、テレビジョン受信機の機能は多方面にわたって進化している。その機能は、過去はユーザが任意に自分の好みに合わせて調節するものが多かったが、近年においてはユーザの好みをあらかじめ予測して、自動的に調節してくれるものが多い。例えば、テレビジョン受信機本体に付けられた照度センサからの測定値を基に、画面の明るさを自動的に調節する機能や、過去の視聴番組履歴からユーザの好みを自動的に計算し、おすすめ番組を提供する機能等がその一例として挙げられる。また、テレビジョン受信機本体に周囲音センサを設けることで、起動時の初期音量を周囲音の大きさに応じて設定する機能を実現した装置もある（例えば、特許文献１参照）。
【先行技術文献】
【特許文献】
【０００３】
【特許文献１】実開平０６−００７３７０号公報
【発明の概要】
【発明が解決しようとする課題】
【０００４】
しかしながら、上記特許文献１記載の装置では、テレビジョン受信機のみに周囲音センサを設けて起動時のみ音量調節を行うものであって、テレビジョン番組視聴時には周囲音による音量を変更できないという問題があった。
【０００５】
また、テレビジョン受信機の大画面化が進んでいる現在、テレビジョン受信機とユーザ間の視聴距離も広くなる傾向にあり、この場合、テレビジョン受信機が設置されている場所の周囲音とユーザが位置する場所の周囲音とに音量差が発生し、一方の周囲音のみに応じた音量の調節のみであると適切な音量に調節できないという問題もあった。
【０００６】
本発明は、上記事情に鑑みてなされたものであって、テレビジョン受信機及びリモコンに周囲センサを設けることにより、ユーザの周囲音量に合わせてテレビ受信機の音量の自動調節を行うことが可能な音量調整システム及び音量調整方法を提供することを目的とする。
【課題を解決するための手段】
【０００７】
本発明の請求項１にかかる音量調整システムは、リモコンとテレビジョン受信機からなる音量調節システムであって、リモコンは、リモコンの周囲音を検知する第２の周囲音センサと、第２の周囲音センサが検知したリモコンの周囲音を周囲音情報として送信する送信部と、を備え、テレビジョン受信機は、周囲音情報を受信する受信部と、テレビジョン受信機の周囲音を検知する第１の周囲音センサと、少なくとも受信された周囲音情報に含まれる周囲音の値及び第１の周囲音センサが検知した周囲音の値に応じて、出力すべき音量を計算する第１の制御部と、テレビジョン受信機が出力する音量を、計算された出力すべき音量に調整する音量制御部と、を具備することを特徴とする。
【０００８】
また、本発明の請求項２にかかる音量調整システムは、本発明の請求項１にかかる音量調整システムの構成において、リモコンは、ユーザによってリモコン操作が行なわれた場合に、第２の周囲音センサにリモコンの周囲音を検知させる第２の制御部と、を更に備え、テレビジョン受信機は、直前のリモコンの周囲音の値及び直前のテレビジョン受信機の周囲音の値を記憶する記憶部と、を更に備え、第１の制御部は、受信部が周囲音情報を受信した場合に、第１の周囲音センサにテレビジョン受信機の周囲音を検知させるとともに、記憶部に記憶された直前のリモコンの周囲音の値及び直前のテレビジョン受信機の周囲音の値と、受信された周囲音情報に含まれる周囲音の値と第１の周囲音センサが検知した周囲音の値に応じて、出力すべき音量を計算する、ことを特徴とする。
【０００９】
また、本発明の請求項３にかかる音量調整方法は、リモコンとテレビジョン受信機からなる音量調節システムにおける音量調整方法であって、リモコンは、リモコンの周囲音を検知する第２の周囲音検知ステップと、検知したリモコンの周囲音を周囲音情報として送信する送信ステップと、を有し、テレビジョン受信機は、周囲音情報を受信する受信ステップと、テレビジョン受信機の周囲音を検知する第１の周囲音検知ステップと、少なくとも受信した周囲音情報に含まれるリモコンの周囲音の値及び検知したテレビジョン受信機の周囲音の値に応じて、出力すべき音量を計算する第１の制御ステップと、テレビジョン受信機が出力する音量を、計算された出力すべき音量に調整する音量制御ステップと、を有することを特徴とする。
【００１０】
また、本発明の請求項４にかかる音量調整方法は、本発明の請求項３にかかる音量調整方法の構成において、リモコンは、ユーザによってリモコン操作が行われた場合に、第２の周囲音検知ステップにリモコンの周囲音を検知させる第２の制御ステップと、を更に有し、テレビジョン受信機は、直前のリモコンの周囲音の値及び直前のテレビジョン受信機の周囲音の値を記憶する記憶ステップと、を更に有し、第１の制御ステップは、受信ステップが周囲音情報を受信した場合に、第１の周囲音検知ステップにテレビジョン受信機の周囲音を検知させるとともに、記憶ステップに記憶された直前のリモコンの周囲音の値及び直前のテレビジョン受信機の周囲音の値と、受信された周囲音情報に含まれる周囲音の値と前記第１の周囲音検知ステップが検知した周囲音の値に応じて、出力すべき音量を計算する、ことを特徴とする。
【発明の効果】
【００１１】
本発明によれば、ユーザが操作を行うタイミングで視聴環境に応じてテレビジョン受信機の音量の自動調節を行うことが可能となり、ユーザの音量調節の手間を削減することが可能となる。また、リモコンの周囲音の情報も利用するため、よりユーザに近い場所の周囲音からユーザに合わせた音量に自動調節することが可能となる。
【図面の簡単な説明】
【００１２】
【図１】本発明の実施の形態１における音量調整システムの構成を示すブロック図
【図２】本発明の実施の形態１における周囲音情報送信処理を示すフローチャート
【図３】本発明の実施の形態１における周囲音情報取得処理及び音量調節処理を示すフローチャート
【図４】本発明の実施の形態１における音量調節方法の具体例を示す図
【発明を実施するための形態】
【００１３】
以下本発明を実施するための最良の形態について、図面を参照しながら説明する。
【００１４】
（実施の形態１）
図１は本発明の実施の形態１に係る音量調節システムの構成を示すブロック図である。本実施の形態における音量調節システム１００は、テレビジョン受信機４００と、リモコン２００から構成されており、テレビジョン受信機４００の第１の周囲音センサ４０１が検知した周囲音と、リモコン２００の第２の周囲音センサ２０１から送信された周囲音情報３００に応じて、テレビジョン受信機４００が出力する音量の自動調節を行う。
【００１５】
テレビジョン受信機４００は、テレビジョン受信機４００が設置された場所において所定範囲内の周囲音を検知する第１の周囲音センサ４０１と、リモコン２００からの情報として周囲音情報３００を受信する受信部４０２と、第１の周囲音センサ４０１が検知した直前の第１の周囲音の値と受信部４０２が受信した周囲音情報３００に含まれる第２の周囲音センサ２０１が検知した直前の第２の周囲音の値を保持するメモリ（記憶部）４０３と、メモリ４００に記憶された直前の第１の周囲音の値及び直前の第２の周囲音の値と、第１の周囲音センサ４０１が検知した現在の第１の周囲音の値及び受信部４０２が受信した周囲音情報３００に含まれる現在の第２の周囲音の値から適切な音量を計算する第１の制御部４０４と、第１の制御部４０４が計算した音量に応じて出力する音量を調節する音量制御部４０５から構成される。
【００１６】
リモコン２００は、リモコン２００が位置する場所において所定範囲の周囲音を検知する第２の周囲音センサ２０１と、第２の周囲音センサ２０１が検知した値を周囲音情報３００としてテレビジョン受信機４００の受信部４０２へ送信する送信部２０２と、ユーザのリモコン操作を監視する第２の制御部２０３から構成される。ここで、第２の周囲音センサ２０１は、前記第２の制御部２０３において、リモコン操作としてチャンネル変更や入力機器変更等の画面を切り替える操作がなされたと判断される度に、あるいはリモコン操作が行われたと判断される度に、周囲音を測定してリモコン操作情報とともに送信部２０２へ出力する。
【００１７】
ここで、本実施の形態にかかる音量調節システムの音量調節処理について、図２、図３、図４を用いて説明する。図２は、本発明の実施の形態１にかかる音量調節システムの周囲音情報送信処理を示すフローチャートである。図３は、本発明の実施の形態１にかかる音量調節システムの周囲音情報取得処理及び音量調節処理を示すフローチャートである。図４は、本発明の実施の形態１にかかる音量調節方法の具体例を示す図である。
【００１８】
まず、図２を用いてリモコン２００における周囲音情報送信処理について説明する。リモコン２００では、常にユーザのリモコン操作を待機している状態とし、ユーザがリモコン操作を行うたびに、周囲音情報送信処理を実行する。リモコン２００の第２の制御部２０３において、リモコン操作がチャンネル変更や入力機器切り替え等の画面を変更する操作であると判断した場合（ステップＳ２０１で「Ｙｅｓ」）、第２の制御部２０３は第２の周囲音センサ２０１に周囲音の値を取得させる（ステップＳ２０２）。そして、送信部２０２は、第２の周囲音センサ２０１が取得した周囲音の値を送信信号に変換し（ステップＳ２０３）、変換後に周囲音情報３００としてテレビジョン受信機４００の受信部４０２へ送信する（ステップＳ２０４）。一方、第２の制御部２０３において、リモコン操作がチャンネル変更や入力機器切り替え等の画面を変更する操作でないと判断した場合は（ステップＳ２０１で「Ｎｏ」）、第２の制御部２０３はリモコン操作情報のみを送信部２０２を介してテレビジョン受信機４００の受信部４０２に送信させる。
【００１９】
次に、図３を用いてテレビジョン受信機４００における周囲音情報取得処理及び音量調節処理について説明する。
【００２０】
テレビジョン受信機４００では、受信部４０２がリモコン２００からリモコン信号を受信した場合（ステップＳ３０１で「Ｙｅｓ」）、第１の制御部４０４は、受信したリモコン信号に周囲音情報３００が含まれているかどうかの判定を行う（ステップＳ３０２）。周囲音情報３００が含まれていると判定した場合（ステップＳ３０２で「Ｙｅｓ」）、リモコン信号から周囲音情報３００を現在の第２の周囲音の値として取り出すとともに（ステップＳ３０３）、第１の周囲音センサ４０１に対してテレビジョン受信機４００の周囲音を現在の第１の周囲音の値として取得させる（ステップＳ３０４）。ここで、ステップＳ３０４において第１の周囲音センサ４０１から現在の第１の周囲音の値を取り出すタイミングは、チャンネルや入力機器が切り替わる直前のテレビジョン受信機４００から音が出ていないタイミングとし、テレビジョン受信機４００から出力されている音が周囲音と混ざらないようにする。
【００２１】
上記処理後、第１の制御部４０４は、メモリ４０３から前回の第１の周囲音センサ４０１が検知した周囲音の値（直前の第１の周囲音の値）と、第２の周囲音センサ２０１が検知した周囲音の値（直前の第２の周囲音の値）を取得し（ステップＳ３０５）、夫々の周囲音の値の差に応じて適切な音量を計算して（ステップＳ３０６）、計算結果に基づいて音量制御部４０５に音量を変更させる（ステップＳ３０７）。ここで、第１の制御部４０４が行う音量計算方法については、後ほど図４を用いて詳述する。
【００２２】
音量変更後、第１の制御部４０４は、ステップＳ３０３で取得した現在の第２の周囲音の値を直前の第２の周囲音の値として、また、ステップＳ３０４で取得した現在の第１の周囲音の値を直前の第１の周囲音の値としてメモリ４０３に格納する（ステップＳ３０８）。
【００２３】
なお、ステップＳ３０２において、第１の制御部４０４が受信したリモコン信号に周囲音情報３００が含まれていないと判定した場合は（ステップＳ３０２で「Ｎｏ」）、受信したリモコン信号に応じた通常のリモコン処理を実行する（ステップＳ３０９）。
【００２４】
最後に、図４を用いて第１の制御部４０４が行う音量計算方法について説明する。第１の制御部４０４は、メモリ４０３に記憶された前回のテレビジョン受信機４００及びリモコン２００の周囲音の値（直前の第１の周囲音の値、直前の第２の周囲音の値）と、今回のそれぞれの周囲音の値（現在の第１の周囲音の値、現在の第２の周囲音の値）との変化を基に音量を調節する。ここで、音声制御部４０５が出力する音量は、Ａ＞Ｂ＞Ｃ＞Ｄ＞Ｅ＞Ｆ＞Ｇとし、音量の最大レベルをＡ、音量の最小レベルをＧ、音量の変化がないときの音量レベルをＤとする。
【００２５】
テレビジョン受信機４００の周囲音が大きくなる場合を考える。この状況において、リモコン２００の周囲音も大きくなった場合は、それぞれの場所で雑音が増えたと考えられるため、音量をＡとする。リモコン２００の周囲音に変化が無い場合は、テレビジョン受信機４００の周囲のみ雑音が増えたため、音量をＢとする。リモコン２００の周囲音が小さくなった場合は、ユーザの周囲は静かになったが、テレビジョン受信機４００の周囲では雑音が増えたと考えられるため音量をＣとする。
【００２６】
テレビジョン受信機４００の周囲音に変化が無い場合は、リモコン２００の周囲音のみを考慮すればよいため、周囲音に合わせて大きくなった場合は音量も大きくして（音量をＢとする）、小さくなった場合は音量も小さくする（音量をＦとする）。
【００２７】
テレビジョン受信機４００の周囲音が小さくなる場合は次のようにする。リモコン２００の周囲音が小さくなった場合は全体的に周囲音が静かになったと考えられるため音量をＧとする。リモコン２００の周囲音が同じ場合は、テレビジョン受信機４００の周囲音が小さくなり音が聞きやすくなる点から、音量をＥとする。リモコン２００の周囲音が大きくなった場合は、ユーザが聞き取りにくくなったと考えられるため音量をＣとする。
【産業上の利用可能性】
【００２８】
本発明は、テレビジョン受信機をはじめ、リモコンで操作可能な全てのＡＶ機器において有用である。
【符号の説明】
【００２９】
１００    音量調節システム
２００    リモコン
２０１    第２の周囲音センサ
２０２    送信部
２０３    第２の制御部
３００    周囲音情報
４００    テレビジョン受信機
４０１    第１の周囲音センサ
４０２    受信部
４０３    メモリ
４０４    第１の制御部
４０５    音量制御部
【図１】
2011250243.tif 000003
【図２】
2011250243.tif 000004
【図３】
2011250243.tif 000005
【図４】
2011250243.tif 000006